(57)【要約】【課題】地震時の懐中電灯としての機能を有し、携帯電話の電源を、通常の充電器以外に太陽電池からも確保することができ、ＬＥＤライトの採用と相俟って非常時の懐中電灯機能維持時間を一層持続可能にする携帯電話を提供する。【解決手段】枢着部を介して接続された操作部本体と液晶表示部本体を備える折畳み式携帯電話において、液晶表示部本体の外表面にソーラーパネルを配置し、操作部本体の端面周縁にＬＥＤライトを配置し、且つ、枢着部の軸端にＬＥＤライト点灯用スイッチを設けた。【選択図】図１
0003118582.tif 000002
【実用新案登録請求の範囲】
【請求項１】
枢着部を介して接続された本体を備える折畳み式携帯電話において、一方の本体表面にソーラーパネルを配置すると共に、その端面周縁にＬＥＤライトを配置し、且つ、枢着部の軸端にＬＥＤライト点灯用スイッチを設けたことを特徴とするＬＥＤライトを備える携帯電話。
【請求項２】
請求項１において、ソーラーパネルを配置した一方の本体の端面周縁の他に内面外縁端部にもＬＥＤライトを配置したことを特徴とするＬＥＤライトを備える携帯電話。
【考案の詳細な説明】
【技術分野】
【０００１】
本考案は携帯電話機であって、折り畳み可能に構成されたコンパクトな携帯電話端末装置に関し、特に非常時の懐中電灯として機能するLEDライトを備える携帯電話に関するものである。
【背景技術】
【０００２】
従来から携帯電話機は、その小型・軽量化に加え利便性から急速に普及している。斯かる状況下で、携帯電話機の利便性の追求から、研究開発が行なわれている。今年は地震の多発した年で、多くの被災地での通信に大いに貢献するものであった。通常、地震対策として、一般家庭では、非常食、防災用具、懐中電灯等を常備するよう指導されている。しかし、実際の地震時等の被災地において、各家庭への送電用の電線が寸断され状況下で、連絡のための通信はもちろん、夜分、住居内の暗闇の中で発生した場合には、取り敢えずの必需品入手の照明が確保が重要であるが、懐中電灯を容易に発見できないため、必需品の探索が難儀となっているのが現状であった。このように、非常用の懐中電灯を所定の場所に設置してあったとしても、消灯下では、懐中電灯を身近に設置して置く分けではないので、瞬間的に見つけ出すことが習慣付けられていることでもないので、懐中電灯を取得することは大変であり、暗闇の状態では特に大変であった。
そこで、本願考案は、常時身に廻りに装着しているか、身辺近傍に備え付けている携帯電話機を活用し、この携帯電話に、懐中電灯機能を備えさせることにより、非常時の安全確保対策の一環としてこれを支援することができるようにすることを第一の目的ものである。
【０００３】
折り畳み型携帯電話機において、例えば特開２００３−２８３６３２号公報の「懐中電灯付き携帯電話機」、特開２００１−２９２２１４号公報の「太陽電池付設折り畳み型携帯電話機」、特開２００５−１３６５３１号公報の「太陽電池付設折畳型携帯電話機」に開示されている。
特開２００３−２８３６３２号公報（懐中電灯付き）は、
夜間はＬＥＤスイッチ５をＯＮにすることによって、ＬＥＤ部分２を点灯させ、急激な災害や闇夜の道路状況を把握できる懐中電灯に早変わりできる折畳式携帯電話機を示す。
ＬＥＤ照明の電源は、充電器によるものであるため、照明用としての使用時間は充電器ものみの充電容量に規制されるため、携帯電話としての使用電力量に左右され、使用電力を携帯電話に注ぎ込んだままで時には、海中電灯としての使用時間に制限を受けることになるものであった。
【０００４】
一方、特開２００１−２９２２１４号公報（太陽電池付設）は、
キーボタンおよび表示装置を含み、ヒンジ部を中心に回転して折り畳み可能に構成された携帯電話機であって、キーボタンおよび表示装置をヒンジ部の両側に対向し、キーボタンの裏に発光部を配置し、表示装置の周囲に太陽電池部を配置し、折り畳み状態のとき、発光部から光透過性のキーボタンを介して太陽電池部に入射する光により携帯電話機の開閉状態を検知する携帯電話機。太陽電池部１０２、一般には高速動作する電子スイッチである発光部制御回路３０１をＯＮ／ＯＦＦすることにより、例えばＬＥＤ（発光ダイオード）である発光部３０２をパルス状に駆動する。
リードスイッチおよび磁石等を折り畳み型携帯電話機の開閉確認が太陽電池部および電圧測定部又は電圧検知部を使用するので、太陽電池部を携帯電話機の駆動電源としても利用可能であり、十分な光量（又は照明）下で使用する場合には、内臓電池（バッテリ）を切り替えるか又は電池を充電することにより、内蔵電池の寿命を延長することが可能である。また、電圧測定部により太陽電池部の電圧を測定することにより、折り畳み型携帯電話機を開放した状態における携帯電話機の周囲の明るさを知ることが可能となるために、表示装置の表示明るさ等を最適設定値に調節したり、バックライトをＯＦＦにしたりする等、これにより無駄な消費電力を省くことが可能になる。
しかし、太陽電池は携帯電話機の消費電力を補足するための太陽電池であり、またＬＥＤ（発光ダイオード）も表示明るさ等を最適設定値に調節したり、バックライトとしてのＬＥＤ（発光ダイオード）であり、本願考案のようにＬＥＤを海中電灯として使用できるものではなかった
【０００５】
以上述べたように、先行の携帯電話機は、太陽電池を付設するとしても、ＬＥＤを有するものではなく、まして海中電灯として使用出来るＬＥＤを具えるものでもなく、また、ＬＥＤを有するとしても、ＬＥＤを海中電灯として使用するものは存在しなかった。
【０００６】
【特許文献１】特開２００３−２８３６３２号公報（懐中電灯付き）
【特許文献２】特開２００１−２９２２１４号公報（太陽電池付設）
【特許文献２】特開２００５−１３６５３１号公報（太陽電池付設）
【考案の開示】
【考案が解決しようとする課題】
【０００７】
この出願の考案の解決しようとする問題点は、地震時の懐中電灯としての機能を有し、携帯電話の電源を、通常の充電器以外に太陽電池からも確保することができ、非常時の懐中電灯機能を一層長時間にわたって持続できることを目的とするものである。
【課題を解決するための手段】
【０００８】
本考案は、枢着部を介して接続された本体を備える折畳み式携帯電話において、一方の本体表面にソーラーパネルを配置すると共に、その端面周縁にＬＥＤライトを配置し、且つ、枢着部の軸端にＬＥＤライト点灯用スイッチを設けたことを特徴とするＬＥＤライトを備える携帯電話を提供する。
また、本考案は、ソーラーパネルを配置した一方の本体の端面周縁の他に内面外縁端部にもＬＥＤライトを配置したことを特徴とするＬＥＤライトを備える携帯電話（請求項２）を提供する。
【考案の効果】
【０００９】
本考案のＬＥＤ付設携帯電話によれば、常時身辺ないし近傍に装着ないし常備されている携帯電話に照明部をＬＥＤとして具えて電灯機能を持たせ、かつ携帯電話の電源に、充電器の接続スイッチ以外に太陽電池のソーラー部を備え、小まめに充電可能な紺増を具えているので、非常時の懐中電灯として、一層その機能を維持発揮することができる。
すなわち、ＬＥＤ付設携帯電話の電源は、ソケットを介した充電装置による他に、太陽電池のソーラーパネルにより、携帯時に常時自動充電できる機能が備えられているので、充電機能を簡単な機構で、携帯電話機の重量・形について重量化・大型化することなく容易に付設することができる。また、ＬＥＤ灯を使用するものであるので、少ない電力で照明が可能であり、照明作用を長持ちすることができ、非常用の懐中電灯として有効に機能することができる。
【考案を実施するための最良の形態】
【００１０】
非常時の暗闇の中で、懐中電灯を迅速に確保して必需品の探索を容易にするという目的を、枢着部を介して接続された本体を備える折畳み式携帯電話において、一方の本体表面にソーラーパネルを配置し、一方の本体の端面周縁にＬＥＤライトを配置し、且つ、枢着部の軸端にＬＥＤライト点灯用スイッチを設けたことを特徴とするLEDライトを備える携帯電話により、折畳み式携帯電話の簡単な改良により実現可能とした。
【実施例１】
【００１１】
図１は、本考案のＬＥＤライトを備える携帯電話の折りたたみ状態を示し、（ａ）は携帯電話の背面図を、（ｂ）は携帯電話を折りたたみ状態の平面図を、（ｃ）は携帯電話を折りたたみ状態の側面図をそれぞれ示す。
示す。また、図２は、ＬＥＤライトを備える携帯電話の拡げた状態を示し、（ａ）は携帯電話を拡げた状態の平面図を示し、（ｂ）は携帯電話を拡げた状態の側面図を示している。
【００１２】
図２は折畳み位置から拡げた位置にした携帯電話の状態を示し、この図２（ａ）（ｂ）に示すように、折畳み式携帯電話Ｔは、操作部本体１と液晶表示部本体２は枢着部３により折畳み自在に接続されている。操作部本体１は、図２（ｂ）に明瞭に示すように、折畳まれたとき相互に対面するよう内側に位置して内表面１ｂを備えると共に、折畳まれたとき外側に位置する外表面１ａ、さらにその外周に周側面１ｃを有し、この周側面１ｃの枢軸側に、枢軸側端面１ｄが形成される。また、内表面１ｂには各種の操作釦１１を備えている。
一方、液晶表示部本体２は、折畳まれたとき外側に位置する外表面２ａ、折畳まれたとき前記操作部本体１の内表面１ｂと対向して位置する内表面２ｂ及びその外周に形成の周側面２ｃを有する。
液晶表示部本体２の内表面には、第１液晶部２１を備え、操作部本体１の内表面１ｂに具えられた操作釦１１の操作により、また、受信情報が、この第１液晶部２１に表示可能となっている。
液晶表示部本体２には、その外表面に第２液晶部２２を備えることもできる。
【００１３】
操作部本体１と液晶表示部本体２は、相互に折畳み自在に接続する枢着部３を備え、この枢着部３は、通常、図示されたような、蝶番構造をなし、枢軸を備えている。これによって、操作部本体１と液晶表示部本体２は、相互に折畳み位置と拡張位置の間の自由な回動位置をとることができる。
また、折畳み式携帯電話Ｔにおける液晶表示部本体２は、その外表面に、図１（ｂ）に示すように、ソーラーパネル式の太陽電池４を備えている。図示の例は、太陽電池４は、上下２分して配置されているが、一面をなすように配置することもできる。太陽電池のソーラーパネルの配置は自由であり、任意の形状に選定して貼り付けることができることはいうまでもない。その場合、図１（ｂ）に示すように、配置された太陽電池のソーラーパネルの面内に第２液晶部２２を配置することができる。
その外表面に太陽電池４を備えた液晶表示部本体２が折畳まれた状態では、その外表面の太陽電池４は太陽に曝され状態では常に充電可能となっている。
【００１４】
さらに、折畳み式携帯電話Ｔは、その操作部本体１の枢軸側端面１ｄに側面ＬＥＤライト５が配置される。このＬＥＤライト５は、枢軸側端面１ｄに複数個配置され、必要な商明度を得るためにＬＥＤライト５の設置数は適宜選択される。ＬＥＤライト５の色は、海中電灯用として、原則的にＬＥＤライトの色は、無着色、すなわち白色のＬＥＤライトを使用する。
操作部本体１と液晶表示部本体２を折畳み自在に接続する枢着部３の軸端には、点灯スイッチ６が配置される。この点灯スイッチ６を押すと、１ないし複数のＬＥＤライト５が点灯されるので、折畳み式携帯電話Ｔは、懐中電灯としての使用に供することができる。
【００１５】
以上、本願考案によれば、折畳み式携帯電話Ｔを身体に装着した状態では、その太陽電池４が常に太陽に曝される状態にあり、携帯状態で蓄電可能な状態となっているので、知らず知らずの内に折畳み式携帯電話Ｔの充電が実行され、非常時に備えた充電を確保することができる。
折畳み式携帯電話Ｔは身近に装着ないし据え置かれるので、通信状態での非常事態で暗闇になったときでも、折畳み式携帯電話Ｔを探り出すことができ、その際、枢着部３の端部を手探りで探り出して点灯スイッチ６を押圧操作することができるので、このような場合でも、容易に点灯スイッチ６を操作して内面側ＬＥＤライト５１を照明することができ、容易に懐中電灯としての使用に供することが可能となる。
また、照明は消費電力の小さいＬＥＤライトを使用するので、地震等の災害時に懐中電灯として使用した場合、その持続時間をこれまで以上に延長して使用することができる。
新たに付属する部品として、ＬＥＤライト、ソーラーパネル、スイッチはいずれも小型部品で安価で、簡単に組み込むことができ、ＬＥＤライトを備える携帯電話の製作が容易である。
【実施例２】
【００１６】
図２の実施例では、ＬＥＤライトは、液晶表示部本体２の内表面２ｂにおける第１液晶部２１の外周縁部に内面側ＬＥＤライト５１として配置される。この場合のＬＥＤライト５１は、その数は図示の二つに限定されず１ないし複数個を配置することができることはもちろんである。
これによれば、通信状態での非常事態で暗闇になったときでも、枢着部３の点灯スイッチ６を押圧操作することで、第１液晶部２１のバックライト照明と合わせて懐中電灯機能を持たせることができるので、携帯電話の通信操作をしながら、懐中電灯としての使用も併せて行なうことが可能となる。
【図面の簡単な説明】
【００１７】
【図１】ＬＥＤライトを備える携帯電話の折りたたみ状態を示し、（ａ）は携帯電話の背面図を、（ｂ）は携帯電話を折りたたみ状態の平面図を、（ｃ）は携帯電話を折りたたみ状態の側面図をそれぞれ示す。
【図２】ＬＥＤライトを備える携帯電話の拡げた状態を示し、（ａ）は携帯電話を拡げた状態の平面図を示し、（ｂ）は携帯電話を拡げた状態の側面図を示す。
【符号の説明】
【００１８】
１  操作部本体
１１  操作釦
１ａ  外表面
１ｂ  内表面
１ｃ  周側面
１ｄ  枢軸側端面
２  液晶表示部本体
２１  第１液晶部
２２  第２液晶部
２ａ  外表面
２ｂ  内表面
２ｃ  周側面
３  枢着部
４  ソーラーパネル太陽電池
５  側面ＬＥＤライト
５１  内面側ＬＥＤライト
６  点灯スイッチ
Ｔ  折畳み式携帯電話
【図１】
0003118582.tif 000003
【図２】
0003118582.tif 000004